(57)【特許請求の範囲】
【請求項１】
基紙の中央に設けられた折目部を介して葉書本体片と隠蔽紙片とが連接する隠蔽葉書；および、情報記載片；から構成される、情報記載片付き隠蔽葉書であって、
該情報記載片は一方の面が情報記載面であり、
該隠蔽葉書の隠蔽紙片の一方の面が弱粘着部を有しさらに隠蔽紙片の連接部側ではない端部に粘着部を有しており、
該隠蔽紙片の弱粘着部および粘着部を有する面と該情報記載片の情報記載面ではない他の一方の面とが剥離可能に貼着されており、
該情報記載片は、隠蔽紙片から剥離することによって、貼付可能な情報記載片となり、および
情報記載片が剥離された隠蔽紙片の弱粘着部および粘着部を有する面と葉書本体片とを貼着することによって隠蔽葉書となる、情報記載片付き隠蔽葉書であり、そして、
該隠蔽紙片および情報記載片の剥離可能な貼着において、
隠蔽紙片の粘着部および弱粘着部と、情報記載片の情報記載面ではない他の一面の一部に設けられた離型部と、が対向して貼着されており、
隠蔽紙片の弱粘着部および粘着部を有する面にはさらに離型部が設けられており、および該隠蔽紙片の離型部の一部上にさらに粘着層が設けられており、および
該情報記載片を隠蔽紙片から剥離することによって、隠蔽紙片の離型部上に設けられた粘着層が情報記載片へ移行し、貼付可能な情報記載片となる、
情報記載片付き隠蔽葉書。
【請求項２】
基紙の中央に設けられた折目部を介して葉書本体片と隠蔽紙片とが連接する隠蔽葉書；および、情報記載片；から構成される、情報記載片付き隠蔽葉書であって、
該情報記載片は一方の面が情報記載面であり、
該隠蔽葉書の隠蔽紙片の一方の面が弱粘着部を有しさらに隠蔽紙片の連接部側ではない端部に粘着部を有しており、
該隠蔽紙片の弱粘着部および粘着部を有する面と該情報記載片の情報記載面ではない他の一方の面とが剥離可能に貼着されており、
該情報記載片は、隠蔽紙片から剥離することによって、貼付可能な情報記載片となり、および
情報記載片が剥離された隠蔽紙片の弱粘着部および粘着部を有する面と葉書本体片とを貼着することによって隠蔽葉書となる、情報記載片付き隠蔽葉書であり、そして、
該隠蔽紙片および情報記載片の剥離可能な貼着において、
該情報記載片の情報記載面ではない他の一面は離型部および粘着部を有し、
該隠蔽紙片の弱粘着部および粘着部を有する面はさらに離型部を有し、
情報記載片の離型部と隠蔽紙片の弱粘着部および粘着部とが対向して貼着されており、および
情報記載片の粘着部と隠蔽紙片の離型部とが対向して貼着されている、
情報記載片付き隠蔽葉書。
【請求項３】
前記隠蔽紙片にはさらに、隠蔽紙片の連接部側ではない端部の粘着部に平行してミシン目状切取可能部が設けられている、請求項１または２記載の情報記載片付き隠蔽葉書。
【請求項４】
基紙の中央に折目部を設けて、連接する葉書本体片および隠蔽紙片を形成する工程、
隠蔽紙片の一方の面の一部に離型部を設け、次いで該離型部の一部上にさらに粘着部を設ける一方で離型部を設けていない部分に弱粘着部および粘着部を設ける工程、
上記工程とは別途、情報記載面である一方の面と、面の一部に離型部を有する他の一方の面と、を有する情報記載片を形成する工程、および
該隠蔽紙片の弱粘着部および粘着部と該情報記載片の離型部とが対向し、かつ、該隠蔽紙片の離型部上に設けられた粘着部と該情報記載片の離型部を設けていない部分とが対向するように、貼着する工程、
を包含する、請求項１記載の情報記載片付き隠蔽葉書の製造方法。
【請求項５】
基紙の中央に折目部を設けて、連接する葉書本体片および隠蔽紙片を形成する工程、
隠蔽紙片の一方の面に弱粘着部、粘着部および離型部を設ける工程、
上記工程とは別途、情報記載面である一方の面と、離型部および粘着部を有する他の一方の面と、を有する情報記載片を形成する工程、および
該情報記載片の離型部と該隠蔽紙片の弱粘着部および粘着部とが対向し、および情報記載片の粘着部と隠蔽紙片の離型部とが対向するように貼着する工程、
を包含する、請求項２記載の情報記載片付き隠蔽葉書の製造方法。
【発明の詳細な説明】
【技術分野】
【０００１】
本発明は、貼付可能な情報記載片を提供する、記載された情報を隠蔽することができる情報記載片付き隠蔽葉書に関する。
【背景技術】
【０００２】
記載された情報を隠蔽した状態で郵送することができる隠蔽葉書の使用は、近年における個人情報保護法の施行などに伴って、年々増加する傾向にある。このような隠蔽葉書は一般に、個人情報（例えば、住所、氏名、年齢また口座番号など）を記載し、その後、記載された個人情報部分に、離型紙でその粘着部が保護された隠蔽シールを貼り付けて、記載された個人情報部分を隠蔽する構造を有している。
【０００３】
このような隠蔽葉書において、隠蔽シールの粘着部を保護する剥離紙は、隠蔽葉書を投函するユーザー等の手元に残ることとなる。このようなユーザー等の手元に残る剥離紙などに、広告、伝達事項または通知情報の控えとなる情報などを記載することによって、ユーザー等に対するさらなる情報伝達手段とすることができ、または通知情報等の控えとすることによってユーザー等における利便性を向上させることができる。しかしながら現状においては、隠蔽シールの粘着部を保護するこのような剥離紙には特定の情報は記載されていないことが多い。その理由として、このような剥離紙は紛失しやすいことが考えられる。そのため、ユーザー等の手元に残ることとなるこのような剥離紙を、有効であり有用な情報伝達手段とすることによって、隠蔽葉書の用途をさらに拡大することができると考えられる。
【０００４】
特開平１０−１５１８８１号公報（特許文献１）には、上紙片、中紙片、下紙片の３枚の葉書紙片を折り部を介して連接し、各葉書紙片の表裏面を情報記載面とし、前記折り部で各葉書紙片を折り重ねて、重ね合わせ面を剥離可能に接着してなる三つ折り葉書とするための葉書用シートであって、前記３枚の葉書紙片のうち少なくとも一紙片の端部に切り取り部を介して控情報を記入するための控片を連接したことを特徴とする、控片付き葉書用シートが記載されている。この特許文献１に記載される発明は、複写用紙片や帳票を別途用意する必要がなく、通知情報の控を容易にとることができる控片付き葉書用シートを提供することを目的としている。しかしながらこの特許文献１における控片付き葉書用シートは、控片に剥離可能な接着部が設けられたものではなく、本願発明とは異なるものである。
【０００５】
【特許文献１】特開平１０−１５１８８１号公報
【発明の開示】
【発明が解決しようとする課題】
【０００６】
本発明は上記従来の問題を解決するものであり、その目的とするところは、さらなる情報伝達手段または通知情報の控えとなる貼付可能な情報記載片を提供する、情報記載片付き隠蔽葉書を提供することにある。
【課題を解決するための手段】
【０００７】
本発明は、
基紙の中央に設けられた折目部を介して葉書本体片と隠蔽紙片とが連接する隠蔽葉書；および、情報記載片；から構成される、情報記載片付き隠蔽葉書であって、
この情報記載片は一方の面が情報記載面であり、
この隠蔽葉書の隠蔽紙片の一方の面が弱粘着部を有しさらに隠蔽紙片の連接部側ではない端部に粘着部を有しており、
この隠蔽紙片の弱粘着部および粘着部を有する面とこの情報記載片の情報記載面ではない他の一方の面とが剥離可能に貼着されており、
この情報記載片は、隠蔽紙片から剥離することによって、貼付可能な情報記載片となり、および
情報記載片が剥離された隠蔽紙片の弱粘着部および粘着部を有する面と葉書本体片とを貼着することによって隠蔽葉書となる、
情報記載片付き隠蔽葉書、を提供するものであり、これにより上記目的が達成される。
【０００８】
上記情報記載片付き隠蔽葉書の１態様として、上記隠蔽紙片および情報記載片の剥離可能な貼着において、
隠蔽紙片の粘着部および弱粘着部と、情報記載片の情報記載面ではない他の一面の一部に設けられた離型部と、が対向して貼着されており、
隠蔽紙片の弱粘着部および粘着部を有する面にはさらに離型部が設けられており、およびこの隠蔽紙片の離型部の一部上にさらに粘着層が設けられており、および
この情報記載片を隠蔽紙片から剥離することによって、隠蔽紙片の離型部上に設けられた粘着層が情報記載片へ移行し、貼付可能な情報記載片となる態様が挙げられる。
【０００９】
上記情報記載片付き隠蔽葉書の他の１態様として、上記隠蔽紙片および情報記載片の剥離可能な貼着において、
上記情報記載片の情報記載面ではない他の一面は離型部および粘着部を有し、
上記隠蔽紙片の弱粘着部および粘着部を有する面はさらに離型部を有し、
情報記載片の離型部と隠蔽紙片の弱粘着部および粘着部とが対向して貼着されており、および
情報記載片の粘着部と隠蔽紙片の離型部とが対向して貼着されている態様が挙げられる。
【００１０】
上記隠蔽紙片にはさらに、隠蔽紙片の連接部側ではない端部の粘着部に平行してミシン目状切取可能部が設けられているのが好ましい。
【００１１】
本発明はまた、情報記載片付き隠蔽葉書の製造方法も提供する。製造方法の一例として、
基紙の中央に折目部を設けて、連接する葉書本体片および隠蔽紙片を形成する工程、
隠蔽紙片の一方の面の一部に離型部を設け、次いでこの離型部の一部上にさらに粘着部を設ける一方で離型部を設けていない部分に弱粘着部および粘着部を設ける工程、
上記工程とは別途、情報記載面である一方の面と、面の一部に離型部を有する他の一方の面と、を有する情報記載片を形成する工程、および
この隠蔽紙片の弱粘着部および粘着部とこの情報記載片の離型部とが対向し、かつ、この隠蔽紙片の離型部上に設けられた粘着部とこの情報記載片の離型部を設けていない部分とが対向するように、貼着する工程、
を包含する製造方法が挙げられる。
【００１２】
また、情報記載片付き隠蔽葉書の製造方法の他の一例として、
基紙の中央に折目部を設けて、連接する葉書本体片および隠蔽紙片を形成する工程、
隠蔽紙片の一方の面に弱粘着部、粘着部および離型部を設ける工程、
上記工程とは別途、情報記載面である一方の面および、離型部および粘着部を有する他の一方の面、を有する情報記載片を形成する工程、および
この情報記載片の離型部とこの隠蔽紙片の弱粘着部および粘着部とが対向し、および情報記載片の粘着部と隠蔽紙片の離型部とが対向するように貼着する工程、
を包含する製造方法が挙げられる。
【発明の効果】
【００１３】
本発明の隠蔽葉書が有する情報記載片は、通常は破棄される隠蔽葉書の剥離シールの離型紙の役割を果たし、かつ、有効であり有用な情報伝達手段としての役割を果たす。この情報記載片は貼付可能であるという機能を有するため、ユーザー等に対して強い印象を与える情報伝達手段となる。この情報記載片はまた、貼付可能であることから、ユーザー等における通知情報等の控えとしても優れた機能を有する。本発明によって、ユーザー等の手元に残ることとなり通常は破棄される剥離紙を、有効であり有用な情報伝達手段とすることができる。このため、隠蔽葉書の用途をさらに拡大することができる。
【発明を実施するための最良の形態】
【００１４】
以下図面を用いて、本発明の実施形態について説明する。
【００１５】
図１は、本発明の情報記載片付き隠蔽葉書を示す斜視概略図である。葉書本体片５と隠蔽紙片３を構成する基紙として、上質紙、コート紙または再生紙などの紙材を、特に限定されることなく使用することができる。この紙材の秤量および大きさは、日本郵政公社による規定に基づいて定められる。そしてこの基紙の中央に設けられた折目部９を介して、葉書本体片５と隠蔽紙片３が連接している。なおこの折目部９は基紙のほぼ中央であればよい。また隠蔽紙片３は、その片面または両面に情報隠蔽着色部（図示せず）を有していてもよい。隠蔽紙片３が情報隠蔽着色部を有することによって、葉書本体片５に記載される個人情報をより有効に隠蔽することができる。情報記載片７は、情報記載面である一方の面１１と、情報記載面ではない他の一方の面１３とを有する。この他の一方の面１３が、隠蔽紙片３に対して対向して剥離可能に貼着されている。この情報記載片７として、上質紙、コート紙または再生紙などの紙材を、特に限定されることなく使用することができる。
【００１６】
図２は、本発明の情報記載片付き隠蔽葉書から情報記載片を剥離した、隠蔽葉書の使用態様を示す概略図である。図２において、折目部９で折り、隠蔽紙片３に設けられた粘着部および弱粘着部を介して隠蔽紙片３および葉書本体片５を貼着させることによって、葉書本体片に記載された個人情報部分が隠蔽された隠蔽葉書１０となる。
【００１７】
本発明の情報記載片付き隠蔽葉書の第１態様の断面概略図を図３に示す。
この態様において、隠蔽紙片３は、弱粘着部２４、および葉書本体片と隠蔽紙片とが連接する連接部側ではない端部に粘着部２１、が設けられており、そして情報記載片７の情報記載面ではない他の一方の面１３には離型部２７が設けられている。
そしてこの隠蔽紙片３の弱粘着部２４および粘着部２１と、情報記載片７の離型部２７とが、図３に示すように対向して貼着されている。
情報記載片７の離型部２７は、隠蔽紙片３の弱粘着部２４および粘着部２１を保護する役目を果たしており、またこれにより隠蔽紙片３および情報記載片７が剥離可能となっている。
そして隠蔽紙片３の弱粘着部２４および粘着部２１以外の部分には離型部２３が設けられている。
隠蔽紙片３の上のこの離型部２３の上には、さらに、粘着層２５が設けられている。そしてこの粘着層２５は、図３に示すように、情報記載片の情報記載面ではない他の一方の面１３の、離型部２７以外の部分に接した状態となっている。
【００１８】
なお、図３の断面概略図においては、隠蔽紙片３上の離型部２３、弱粘着部２４および粘着層２５は、それぞれ縦長方向に沿ったストライプ状に設けられた態様を示す意図で記載されている。しかしながら隠蔽紙片３上のこれらの離型部２３、弱粘着部２４および粘着層２５は、縦長方向に沿ったストライプ状の態様に限られるものではない。但し、粘着層２５は離型部２３の上に設けられており、そしてこの粘着層２５は、情報記載片の情報記載面ではない他の一方の面１３の、離型部２７以外の部分に接した状態となっており、かつ、隠蔽紙片３の弱粘着部２４および粘着部２１と、情報記載片７の離型部２７とが対向して貼着されていることを条件とする。
【００１９】
図４は、図３に示された情報記載片付き隠蔽葉書１において、情報記載片７を剥離する様子を概略的に示した概略説明図である。この態様においては、隠蔽紙片３上の離型部２３上に設けられた粘着層２５は、情報記載片７を剥離する際に情報記載片７上へ移行する。そしてこの粘着層２５の情報記載片７への移行によって、剥離された情報記載片７は、粘着性を有し、貼付など行うことができる情報記載片となる。
また情報記載片７が剥離された隠蔽葉書は、図２に示すように、折目部９で折り、隠蔽紙片３の粘着部２１および弱粘着部２４を介して隠蔽紙片３および葉書本体片５を貼着させることによって、葉書本体片に記載された個人情報部分が隠蔽された隠蔽葉書１０となる。こうして、個人情報部分を隠蔽した状態で投函することができる。
【００２０】
この態様における情報記載片付き隠蔽葉書は、以下のようにして製造することができる。まず、基紙の中央に折目部を設けて、連接する葉書本体片および隠蔽紙片を形成し、次いで、隠蔽紙片の一方の面の一部に離型部を設け、この離型部の一部上にさらに粘着部を設ける一方で離型部を設けていない部分に弱粘着部および粘着部を設けることによって、本発明の情報記載片付き隠蔽葉書における隠蔽葉書部分を製造することができる。そしてこの隠蔽葉書部分とは別途、情報記載面である一方の面と、面の一部に離型部を有する他の一方の面とを有する情報記載片を形成することによって、本発明の情報記載片付き隠蔽葉書における情報記載片部分を製造することができる。そしてこうして得られた隠蔽葉書部分と情報記載片部分とを、隠蔽紙片の弱粘着部および粘着部と情報記載片の離型部とが対向し、かつ、隠蔽紙片の離型部上に設けられた粘着部と情報記載片の離型部を設けていない部分とが対向するように貼着することによって、図３に示されるような情報記載片付き隠蔽葉書を製造することができる。
【００２１】
次に、本発明の情報記載片付き隠蔽葉書の他の態様の断面概略図を図５に示す。この態様において、情報記載片７の情報記載面ではない他の一方の面１３には、離型部３７および粘着部３５が設けられている。そして隠蔽紙片３において、葉書本体片と隠蔽紙片とが連接する連接部側ではない端部に粘着部３１が設けられており、他の部分に弱粘着部３４および離型部３３が設けられている。そして、図５に示されるように、情報記載片７の離型部３７と隠蔽紙片３の粘着部３１および弱粘着部３４とが対向して貼着されており、そして情報記載片７の粘着部３５と隠蔽紙片３の離型部３３とが対向して貼着されている。情報記載片７の離型部３７は、隠蔽紙片３の粘着部３１および弱粘着部３４を保護する役目を果たしており、また隠蔽紙片３の離型部３３は情報記載片７の粘着部３５を保護する役目を果たしている。これにより隠蔽紙片３および情報記載片７が剥離可能となっている。
【００２２】
なお、図５の断面概略図においても、図３と同様に、情報記載片７の離型部３７および粘着部３５、そして隠蔽紙片３の粘着部３１、弱粘着部３４および離型部３３は、それぞれ縦長方向に沿ったストライプ状に設けられた態様を示す意図で記載されている。しかしながら情報記載片７の離型部３７および粘着部３５、そして隠蔽紙片３の粘着部３１、弱粘着部３４および離型部３３は、縦長方向に沿ったストライプ状の態様に限られるものではない。
但し、情報記載片７の離型部３７と、隠蔽紙片３の粘着部３１および弱粘着部３４とが対向した状態で貼着されており、そして隠蔽紙片３の離型部３３と情報記載片７の粘着部３５とが対向した状態で貼着されていることを条件とする。
【００２３】
図６は、図５に示された情報記載片付き隠蔽葉書１において、情報記載片７を剥離する様子を概略的に示した概略説明図である。図６に示されるように、情報記載片７を剥離することによって、粘着部３５により貼付など行うことができる情報記載片が得られることとなる。また情報記載片７が剥離された隠蔽葉書は、図２に示すように、折目部９で折り、隠蔽紙片３の粘着部３１および弱粘着部３４を介して隠蔽紙片３および葉書本体片５を貼着させることによって、葉書本体片に記載された個人情報部分が隠蔽された隠蔽葉書１０となる。こうして、個人情報部分を隠蔽した状態で投函することができる。
【００２４】
この態様における情報記載片付き隠蔽葉書は、以下のようにして製造することができる。まず、基紙の中央に折目部を設けて、連接する葉書本体片および隠蔽紙片を形成し、次いで、隠蔽紙片の一方の面に弱粘着部、粘着部および離型部を設けることによって、本発明の情報記載片付き隠蔽葉書における隠蔽葉書部分を製造することができる。そしてこの隠蔽葉書部分とは別途、情報記載面である一方の面と、離型部および粘着部を有する他の一方の面と、を有する情報記載片を形成することによって、本発明の情報記載片付き隠蔽葉書における情報記載片部分を製造することができる。そしてこうして得られた隠蔽葉書部分と情報記載片部分とを、情報記載片の離型部と隠蔽紙片の弱粘着部および粘着部とが対向し、および情報記載片の粘着部と隠蔽紙片の離型部とが対向するように貼着することによって、図５に示されるような情報記載片付き隠蔽葉書を製造することができる。
【００２５】
本発明において、弱粘着部、粘着部および粘着層は、種々の粘着剤を塗布することによって形成することができる。なお本発明において「弱粘着」とは、剥離強度が０．０００９８〜０．００４９Ｎ／ｍｍであるような粘着部を意味する。本発明における剥離強度の測定は、厚さ０．１３ｍｍ、寸法２０ｍｍ×５０ｍｍの上質紙の片面に、２０ｍｍ×５０ｍｍの粘着部を設け、この粘着部と他の上質紙（厚さ０．１３ｍｍ、寸法２０ｍｍ×５０ｍｍ）を付着させたものを、１８０°方向に剥離することによって測定される剥離強度である。１８０°方向剥離強度の測定は、レオメーターなどを用いて測定することができる。また本発明において「粘着」とは、紙などを貼り付けた後に剥がす場合に材料破壊（紙破）するようないわゆる強粘着、および、このような材料破壊（紙破）は生じないが上記弱粘着よりも高い剥離強度（例えば０．００２４５〜０．００９８Ｎ／ｍｍ）を有する粘着、を含んでいる。
【００２６】
弱粘着部、粘着部および粘着層の形成に使用できる粘着剤として、例えば、ホットメルト粘着剤、水性エマルジョン系粘着剤およびＵＶ硬化型粘着剤などが挙げられる。
【００２７】
ホットメルト粘着剤として、例えば、合成ゴム系ホットメルト粘着剤、熱可塑性エラストマー系ホットメルト粘着剤、オレフィン系ホットメルト粘着剤、ゴムオレフィン系ホットメルト粘着剤などが挙げられる。水性エマルジョン系粘着剤として、例えば、オレフィン系粘着剤、アクリルエマルジョン系粘着剤、アクリル酸アルキルエステル共重合体、シリコン系粘着剤、天然ゴムラテックス変性体などが挙げられる。ＵＶ硬化型粘着剤として、例えば、アクリレート系ＵＶ硬化型粘着剤などが挙げられる。
【００２８】
上記粘着剤のうち、合成ゴム系ホットメルト粘着剤、アクリルエマルジョン系粘着剤（アクリル酸エステル共重合物など）、オレフィン系粘着剤（ポリビニルアルキルエーテルなど）、オレフィン系ホットメルト粘着剤などが好ましく用いられる。
【００２９】
本発明においては、例えばより粘着性が高い粘着剤を用いて粘着部または粘着層を形成し、より粘着性が低い粘着剤を用いて弱粘着部を形成するといったように、２種またはそれ以上の粘着剤を用いてもよい。他の方法として、粘着部または粘着層の形成においては粘着剤を均一に塗布し、他の弱粘着部の形成においては粘着剤をストライプ状、ドット状、格子状などに塗布する方法なども挙げられる。またこれらの方法を組み合わせてもよい。粘着剤の塗布においては、当業者に通常用いられる粘着剤塗布装置を用いることができる。
【００３０】
本発明において、離型部は、シリコン剥離組成物、フッ素剥離組成物、パラフィンワックスなどの当業者に一般的に用いられるものを塗布することによって形成することができる。
【００３１】
本発明の情報記載片付き隠蔽葉書においては、必要に応じて、隠蔽紙片の連接部側ではない端部の粘着部に平行してミシン目状切取可能部を設けてもよい。図７は、隠蔽紙片３にミシン目状切取可能部１５が設けられた態様を示す概略説明図である。このようなミシン目状切取可能部を設けることによって、例えば第３者が隠蔽紙片を剥がして個人情報部分を盗み見た場合、隠蔽紙片がミシン目状切取可能部において切断されることによる開封痕が残ることとなる。これにより、個人情報部分の隠蔽性をより有効に保つことができる。このようなミシン目状切取可能部１５を設ける場合は、隠蔽紙片の連接部側ではない端部に設けられる粘着部（図３における粘着部２１または図５における粘着部３１）は、いわゆる強粘着を有するのが好ましい。この粘着部が強粘着であることによって、より明確な開封痕を残すことが可能となる。
【００３２】
本発明の情報記載片付き隠蔽葉書は、ユーザーにおいて通常は破棄される隠蔽葉書の剥離シールの離型紙として機能する粘着層保護物に、情報記載片としての機能を付与したものである。本発明におけるこの情報記載片は貼付可能であるという機能を有するため、ユーザー等に対して強い印象を与える情報伝達手段となる。またこの情報記載片はまた、貼付可能であることから、ユーザー等における通知情報等の控えとしても優れた機能を有する。さらに本発明によって、ユーザーにおいて通常はゴミとして破棄される剥離シールの離型紙のゴミを減らすこともできる。本発明によって、ユーザー等の手元に残ることとなり通常は破棄される剥離紙を、有効であり有用な情報伝達手段とすることができる。このため、隠蔽葉書の用途をさらに拡大することができる。
【産業上の利用可能性】
【００３３】
本発明の情報記載片付き隠蔽葉書は、例えば、音楽会、演奏会、演劇会、講演会といった会の参加者への通知手段および個人情報送付手段として用いることができる。このような態様において、情報記載片に会の詳細または広告を掲載することによって、参加者に対して強い印象を与えることができる。本発明の情報記載片付き隠蔽葉書は、また、通信販売申込書等の親展通知情報を伴う通知手段および個人情報送付手段として用いることができる。このような態様において、情報記載片は、通知情報等の控えとして機能させることができる。本発明の情報記載片付き隠蔽葉書は、また、配送等の不在配達連絡手段としても用いることができる。
【図面の簡単な説明】
【００３４】
【図１】本発明の情報記載片付き隠蔽葉書を示す斜視概略図である。
【図２】本発明の情報記載片付き隠蔽葉書から情報記載片を剥離した、隠蔽葉書の使用態様を示す概略図である。
【図３】本発明の情報記載片付き隠蔽葉書の第１態様の断面概略図である。
【図４】図３に示された情報記載片付き隠蔽葉書１において、情報記載片７を剥離する様子を概略的に示した概略説明図である。
【図５】本発明の情報記載片付き隠蔽葉書の他の態様の断面概略図である。
【図６】図５に示された情報記載片付き隠蔽葉書１において、情報記載片７を剥離する様子を概略的に示した概略説明図である。
【図７】隠蔽紙片３にミシン目状切取可能部１５が設けられた態様を示す概略説明図である。
【符号の説明】
【００３５】
１…情報記載片付き隠蔽葉書、
３…隠蔽紙片、
５…葉書本体片、
７…情報記載片、
９…折目部、
１０…隠蔽葉書、
１１…情報記載片の情報記載面、
１３…情報記載片の情報記載面ではない他の一方の面、
１５…ミシン目状切取可能部、
２１…隠蔽紙片の粘着部、
２３…隠蔽紙片の離型部、
２４…隠蔽紙片の弱粘着部
２５…隠蔽紙片の粘着層、
２７…情報記載片の離型部、
３１…隠蔽紙片の粘着部、
３３…隠蔽紙片の離型部、
３４…隠蔽紙片の弱粘着部、
３５…情報記載片の粘着部、
３７…情報記載片の離型部。
【図１】
0004804430.tif 000002
【図２】
0004804430.tif 000003
【図３】
0004804430.tif 000004
【図４】
0004804430.tif 000005
【図５】
0004804430.tif 000006
【図６】
0004804430.tif 000007
【図７】
0004804430.tif 000008